(57)【要約】  家具の引出し部用の引出しガイド（１）であって、家具本体に固定可能なガイドレール（２）と、前記引出し部に取り付け可能な走行レール（３）と、前記ガイドレール（２）と前記走行レール（３）との間に配置され、引き出し可能な長さを延長し、前記ガイドレール（２）及び走行レール（３）に対して、回転体ケージ（５）内に保持される回転体によってガイドされ且つケーブル牽引制御手段６によって同期化される中央レール（４）とを備え、前記ケーブル牽引制御手段（６）は、前記中央レール（４）に取り付けられた２つの偏向ローラー（７）の周囲にガイドされ且つ前記中央レール（４）とガイドレール（２）との間及び前記中央レール（４）と前記走行レール（３）との間において前記回転体ケージ（５）に固定されるケーブル（８）を有している。【選択図】図３
2013542822.tif 000002
【特許請求の範囲】
【請求項１】
家具の引出し部用の引出しガイド（１）であって、
家具本体に固定可能なガイドレール（２）と、
前記引出し部に取り付け可能な走行レール（３）と、
前記ガイドレール（２）と前記走行レール（３）との間に配置され、引き出し可能な長さを延長し、前記ガイドレール（２）及び走行レール（３）に対して、回転体ケージ（５）内に保持される回転体によってガイドされ且つケーブル牽引制御手段（６）によって同期化される中央レール（４）とを備え、
前記ケーブル牽引制御手段（６）は、前記中央レール（４）に取り付けられた２つの偏向ローラー（７）の周囲にガイドされ且つ前記中央レール（４）と前記ガイドレール（２）との間及び前記中央レール（４）と前記走行レール（３）との間において前記回転体ケージ（５）に固定されるケーブル（８）を有していることを特徴とする引出しガイド。
【請求項２】
複数箇所に配置される複数のローラーベアリング（１１）を備え、
前記ケーブル（８）は、引出し方向の手前側に配置された前記ローラーベアリングの回転体ケージ（５）に接合されることを特徴とする、請求項１に記載の引出しガイド。
【請求項３】
前記ケーブル（８）は、前記回転体ケージ（５）に対し遊びが無いように接合されることを特徴とする、請求項１又は２記載の引出しガイド。
【請求項４】
前記ケーブル（８）は、前記回転体ケージ（５）に溶接されることを特徴とする、請求項３に記載の引出しガイド。
【請求項５】
前記ケーブル（８）は、超音波溶接によって前記回転体ケージ（５）に接合されることを特徴とする、請求項３に記載の引出しガイド。
【請求項６】
前記中央レール（４）は、成形によって形成されて断面略Ｃ字状をなす部分で構成され、当該中央レールの端部ウェブ（４ａ）が、屋根状に折り曲げられて前記回転体のための走行面（４ｂ）を形成し、該形成された走行面（４ｂ）の自由端（４ｃ）が、走行面（４ｂ）以外の部分に接合固定されることを特徴とする、請求項１〜５のいずれか１つ記載の引出しガイド。
【請求項７】
前記走行面（４ｂ）の自由端（４ｃ）は、前記走行面以外の部分に溶接されることを特徴とする、請求項６に記載の引出しガイド。
【請求項８】
前記走行面（４ｂ）の自由端（４ｃ）は、スポット溶接によって、前記走行面以外の部分に接合されることを特徴とする、請求項６に記載の引出しガイド。
【請求項９】
前記走行面（４ｂ）の自由端（４ｃ）は、接着によって、前記走行面以外の部分に接合されていることを特徴とする、請求項６に記載の引出しガイド。
【請求項１０】
前記走行面（４ｂ）の自由端（４ｃ）は、前記走行面以外の部分とインターロックされるようにプレス成形されることを特徴とする、請求項６に記載の引出しガイド。
【発明の詳細な説明】
【技術分野】
【０００１】
本発明は、家具の引出し部用の引出しガイドに関する。本発明の引出しガイドは、家具本体に固定可能なガイドレールと、前記引出し部に取り付け可能な走行レールと、前記ガイドレールと走行レールとの間に配置され、引き出し可能な長さを延長し、前記ガイドレール及び走行レールに対して、回転体ケージ内に保持される回転体によってガイドされ、且つ、ケーブル牽引制御手段によって同期化される中央レールとを備える。
【背景技術】
【０００２】
この種の引出しガイドは公知であり、当該引出しガイドにおいては、ケーブル牽引制御手段による中央レールの同期化によって、どのような引出し位置においても、中央レールとガイドレールとの間、及び、中央レールと走行レールとの間で最大の重なりを確保するという目的が達成される。
【０００３】
公知の構造においては、ケーブル牽引制御手段のケーブルが、ガイドレールの前側端部及び中央レールの後側端部に接合されている。
【発明の概要】
【発明が解決しようとする課題】
【０００４】
このような構造は、ケーブルの全長が、中央レールの長さの少なくとも２倍は必要になるという結果を生む。このような構造は、さらには、中央レールと共に走行レールを引出すとき又は押し戻すときに、偏向ローラーの周速度が速くなることにつながる。
【０００５】
本発明は、低コストで製造可能であり且つ耐用寿命のより長い、汎用タイプの引出しガイドを提供するという目的に基づくものである。
【課題を解決するための手段】
【０００６】
この目的は、本発明によって、次のように達成される。即ち、ケーブル牽引制御手段は、中央レールに取り付けられた２つの偏向ローラーの周囲にガイドされ且つ中央レールとガイドレールとの間及び中央レールと走行レールとの間でローラーベアリングの回転体ケージに固定されるケーブルを備えることにより達成される。
【０００７】
前記中央レールは、走行レールの移動経路の約半分だけ移動するので、ケーブル牽引制御手段は、中央レールの長さの約半分の長さしか必要としない。このため、ケーブル牽引制御手段のケーブルの全長を、従来公知の構造のものの約半分にすることができる。このことにより、引出しガイドの製造コストが大幅に削減され、さらには、偏向ローラーの周速度も、従来公知の構造に比べて、大幅に低減される。偏向ローラーの周速度の低減は、個々に配置された引出しガイドの予想耐用寿命を大幅に延長する。
【０００８】
複数のローラーベアリングが一体的に又は複数箇所に配置されることが知られている。複数箇所に配置される複数のローラーベアリングは、ディスタンスバーによって互いに接続された手前側及び奥側回転体ケージを有する。
【０００９】
複数箇所に配置される複数のローラーベアリングを備える場合、前記ケーブルは、引出し方向の手前側に配置された前記ローラーベアリングの回転体ケージに接合されることが好ましい。
【００１０】
ディスタンスバーを用いずに一体的に配置されたローラーベアリングを備える場合、前記ケーブルは、そのローラーベアリングの回転体ケージにおける引き出し方向の手前側の領域に接合されることが好ましい。
【００１１】
本発明の特に有利な実施形態では、前記ケーブルは、前記回転体ケージに対し遊びが無いように固定される。
【００１２】
前記ケーブルは、好ましくは超音波溶接によって、前記回転体ケージに溶接される。
【００１３】
これにより、ケーブルが回転体ケージに溶接されるか、又は、他の方法によって、遊びが無い状態で固定されるので、複雑な調整の可能性を排除した、遊びが全く無い同期化が確実に行われる。
【００１４】
ケーブル自体を予め調整する必要はないので、製造面でのさらなる利点が生じる。
【００１５】
前記ローラーベアリングと前記引出しレールとの間で起こる不可避的なスリップを抑制するために、追加的な補償手段を導入することも可能である。
【００１６】
本発明のさらなる構成要素は、さらなる従属クレームの主題である。
【図面の簡単な説明】
【００１７】
【図１】図１は、本発明に係る引出しガイドを示す図である。
【図２】図２は、図１の引出しガイドの斜視図である。
【図３】図３は、図１及び図２の引出しガイドの正面図である。
【図４】図４は、本発明の一実施形態に係る引出しガイドの中央レールのみを示す図である。
【図５】図５は、中央レールを回転体ケージ及びケーブル牽引制御手段と共に示した図である。
【図６】図６は、図１とは反対側から見た引出しガイドを示す図である。
【発明を実施するための形態】
【００１８】
本発明の実施形態を、添付の図面に示すとともに、以下に詳細に説明する。
【００１９】
全ての図面において、引出しガイドには符号１が付される。当該引出しガイド１は、例えば引出し（抽斗）等の、家具の引出し部用に設計されたものである。
【００２０】
前記引出しガイドは、実質的に、ガイドレール２と、走行レール３と、引き出し可能な長さを延長する中央レール４とを備えている。
【００２１】
前記ガイドレール２は、公知の方法で、既定の位置にて家具本体に固定される。前記走行レール３は、家具の引出し部、例えば引出し（抽斗）と連結するために使用される。引き出し可能な長さを延長する中央レール４は、ガイドレール２と走行レール３との間に配置される。該中央レール４は、回転体ケージ５内に保持された回転体、好ましくは回転体として設けられた回転体ローラー（詳細は図示せず）によって、前記レール２，３に対してガイドされる。
【００２２】
上部及び下部ローラーベアリング１１が、各々、ディスタンスバー１０によって互いに接続された複数の回転体ケージ５を有する。
【００２３】
さらに、引出しガイド１は、中央レール４を同期化すべく、ケーブル牽引制御手段６を備える。
【００２４】
ケーブル牽引制御手段６は、２つの偏向ローラー７の周囲にガイドされたケーブル８を有する。このケーブル８は、引き出し方向から見て手前側に配置された前記回転体ケージ５に固定される。前記２つの偏向ローラー７は、特に図１、図２及び図５に示すように、一方が中央レール４における手前側領域に配置され、他方が中央レール４における略中央に配置されている。
【００２５】
複数箇所に配置されるローラーベアリング１１の場合は、ケーブル８が、引き出し方向から見て手前側に位置する回転体ケージ５に接合される。この構成が、引出し（抽斗）を引いたときに、ディスタンスバー１０に小さい力が作用するという利点を生む。
【００２６】
前記回転体ケージ５とケーブル８とは、遊びが無いように接合される。好ましくは、ケーブル８は、個々に配置されたケーブル支持部５ａに溶接される。この場合、超音波溶接を用いることが好ましい。
【００２７】
ケーブル牽引制御手段６は、中央レール４における手前側領域から略中央にかけての領域に完全に組み込まれるので、ケーブル８に必要とされる長さは中央レール４の全長に概ね一致する。したがって、実質的には、本発明のケーブル８に必要な長さは、ケーブル８の一端側をガイドレール２に、他端側を中央レール４に接合する従来公知の構造におけるケーブル８の長さのわずか半分である。
【００２８】
したがって、使用される材料の量が少なくなり、製造コスト面での大きな利点が得られる。また、上記のような方法でケーブル牽引制御手段６を配置することによって、偏向ローラー７の周速度が、従来公知の構造のものと比べて半減される。これによって、引出しガイド１の予想耐用寿命が実質的に延長される。
【００２９】
ケーブル牽引制御手段６の全長が、引出しガイド１の長さの約半分であるので、引出しガイド１内におけるケーブル牽引制御手段６が配置されていないスペースに、任意に減衰装置と組み合わせて使用される自動引戻し装置９を収容することができる。ケーブル牽引制御手段６が配置されていないスペースに、その他の機能的部品を組み込むこともできる。
【００３０】
図３及び図４に示すように、中央レール４は、成形によって形成されて断面略Ｃ字状をなす部分で構成されている。図３及び図４より明らかなように、中央レール４の端部ウェブ４ａが、屋根状に折り曲げられて前記回転体のための走行面４ｂを形成する。この公知の信頼度の高い構造は、図１〜図３の実施形態において使用されるように、簡単な方法によってさらに改良される。即ち、図４に示すように、前記形成された走行面４ｂの自由端４ｃ（長手方向に延びている）が、走行面の使用領域以外の部分に接合固定される。この接合は、接着、溶接、スポット溶接、局所噛み合いプレス、又は、その他の材料、インターロック（噛み合い）接合技術及び／又は摩擦接合技術によってなされる。その結果、複雑に形成されたプロファイル全体がそれ自体で閉じられて強度及び剛性が向上し、よって、前記Ｃ字状断面のねじり剛性が向上する。
【００３１】
上記のような手段を用いた結果として、中央レール４の製造に従来求められてきた厚さよりも薄い材料を使用することも可能である。
【００３２】
約言すれば、引出しガイド１における上述の手段及び実施形態は、低コストで省材料の引出しガイド１の製造につながる。また、より低い荷重、特にケーブル牽引制御装置６の偏向ローラー７によって、推定される耐用寿命の大幅な延長というさらなる利点につながる。
【符号の説明】
【００３３】
１      引出しガイド
２      ガイドレール
３      走行レール
４      中央レール
４ａ    端部ウェブ
４ｂ    走行面
４ｃ    走行面の自由端
５ａ    ケーブル支持部
６      ケーブル牽引制御手段
７      偏向ローラー
８      ケーブル
９      自動引戻し装置
１０    ディスタンスバー
１１    ローラーベアリング
【図１】
2013542822.tif 000003
【図２】
2013542822.tif 000004
【図３】
2013542822.tif 000005
【図４】
2013542822.tif 000006
【図５】
2013542822.tif 000007
【図６】
2013542822.tif 000008
【国際調査報告】
2013542822.tif 000009
2013542822.tif 000010
2013542822.tif 000011
2013542822.tif 000012
2013542822.tif 000013
2013542822.tif 000014